(57)【要約】      （修正有）【課題】携帯電話等の小物を取り出しやすい状態で収納できるバッグのポケット構造を提供する。【解決手段】バッグの外表部に設けられたポケット構造であって、バッグ本体との間に収納部を形成する主表皮材と、主表皮材の端部に対向して配置され、主表皮材と共に収納部を形成する副表紙材と、主表皮材と副表皮材との間に形成される開口部とを備えた。【選択図】図１
0003165964.tif 000002
【実用新案登録請求の範囲】
【請求項１】
バッグの外表部に設けられたポケット構造であって、バッグ本体との間に収納部を形成する主表皮材と、上記主表皮材の端部に対向して配置され、上記主表皮材と共に収納部を形成する副表紙材と、上記主表皮材と副表皮材との間に形成される開口部とを備えた外部ポケット構造。
【請求項２】
上記副表皮材は上記主表皮材の上方に配設され、上記主表皮材の上端部と副表皮材の下端部とは互いに対向して配置され、上記開口部はバッグの水平方向にスリットとして形成されることを特徴とする請求項１記載の外部ポケット構造。
【請求項３】
上記バッグはリュックであり、収納部は縦長に形成されていることを特徴とする請求項２記載の外部ポケット構造。
【請求項４】
上記ポケット構造は、上記リュックのマチ部に設けられていることを特徴とする請求項３記載の外部ポケット構造。
【請求項５】
上記収納部は携帯電話を収納できる大きさに形成されていることを特徴とする請求項４記載の外部ポケット構造。
【考案の詳細な説明】
【技術分野】
【０００１】
本考案は、バッグの外部ポケット構造に係り、特に、バッグの外表部に設けられるポケット構造に関する。
【背景技術】
【０００２】
一般に、バッグを携帯する場合に、携帯電話等の小物を取り出しやすい状態で収納しておきたい、という要請がある。
しかしながら、多くのバッグは内部の収納部に区画された多くの収納ポケットを有するものが多いが、内部に設けられたポケットや各収納部に、例えば、携帯電話を収納した場合には、例えば、ファスナー等で固定されたフラップ部や、ジッパーを開放して内部から携帯電話を取り出す必要があり、特に、着信時に迅速に携帯電話を取り出して対応したいような場合には、非常に不便であった。
【０００３】
従って、従来より、各種のバッグにおいて、頻繁に使用する可能性のある携帯電話等の小物を、取り出しやすい部位に収納しておきたい、という要請があったが、このような要請に十分に応えられるバッグは存在しなかった。
【考案の開示】
【考案が解決しようとする課題】
【０００４】
本考案はこのような従来からの要請に応えるものであって、その課題は、携帯電話等の小物を取り出しやすい状態で収納できるバッグのポケット構造を提供することにある。
【課題を解決するための手段】
【０００５】
上記課題を解決するため、請求項１記載の考案にあっては、バッグの外表部に設けられたポケット構造であって、バッグ本体との間に収納部を形成する主表皮材と、上記主表皮材の端部に対向して配置され、上記主表皮材と共に収納部を形成する副表紙材と、上記主表皮材と副表皮材との間に形成される開口部とを備えたことを特徴とする。
【０００６】
従って、請求項１記載の考案にあっては、携帯電話等の小物を上記開口部を開放させて上記収納部に収納し、必要時には、上記開口部を開放させて収納された携帯電話等の小物を取り出すことができる。
【０００７】
請求項２記載の考案にあっては、上記副表皮材は上記主表皮材の上方に配設され、上記主表皮材の上端部と副表皮材の下端部とは互いに対向して配置され、上記開口部はバッグの水平方向にスリットとして形成されることを特徴とする。
【０００８】
従って、請求項２記載の考案にあっては、収納部はバッグの上下方向に沿って形成され、収納物を上下方向に沿って収納することができる。
【０００９】
請求項３記載の考案にあっては、上記バッグはリュックであって、収納部は縦長に形成されていることを特徴とする。従って、請求項３記載の考案にあっては、携帯電話等の小物を上記収納部へ収納することができる。
【００１０】
請求項４記載の考案にあっては、上記ポケット構造は、上記リュックのマチ部に設けられていることを特徴とする。従って、請上項４記載の考案にあっては、リュックのマチ部に外部ポケットが設けられたリュックが提供される。
【００１１】
請求項５記載の考案にあっては、上記収納部は携帯電話を収納できる大きさに形成されていることを特徴とする。従って、請求項５記載の考案にあっては、上記収納部内に携帯電話を収納することができる。
【考案の効果】
【００１２】
請求項１記載の考案にあっては、バッグ本体との間に収納部を形成する主表皮材と、上記主表皮材の端部に対向して配置され、上記主表皮材と共に収納部を形成する副表紙材と、上記主表皮材と副表皮材との間に形成される開口部とを備え、携帯電話等の小物を上記開口部を介して上記収納部に収納し、必要時には、上記開口部を開放させて収納された携帯電話等の小物を取り出すことができることから、携帯電話等の小物を取り出しやすい状態で収納できると共に、収納物が落下するおそれのないバッグのポケット構造を提供することができる。
【００１３】
請求項２記載の考案にあっては、上記副表皮材は上記主表皮材の上方に配設され、上記主表皮材の上端部と副表皮材の下端部とは互いに対向して配置され、上記開口部はバッグの水平方向にスリットとして形成されることを特徴とし、収納部はバッグの上下方向に沿って形成され、収納物を上下方向に沿って収納することができるように構成されていることから、携帯電話等の小物を収納部に上下方向に沿って収納物を収納することができる。
【００１４】
請求項３記載の考案にあっては、上記バッグはリュックであって、収納部は縦長に形成されていることを特徴とすることから、収納部には深さがあり、携帯電話等の小物を上記収納部へ確実に収納することができるように構成されている。
【００１５】
請求項４記載の考案にあっては、上記ポケット構造は、上記リュックのマチ部に設けられていることを特徴とする。従って、請上項４記載の考案にあっては、リュックのマチ部に外部ポケットが設けられたリュックを提供することができる。
【００１６】
請求項５記載の考案にあっては、上記ポケットは、携帯電話が収納できる大きさに形成されていることを特徴とし、上記ポケットには携帯電話を収納することができるように構成されていることから、携帯電話を有効に収納し、かつ取り出すことができるバッグの外部ポケット構造を提供することができる。
【図面の簡単な説明】
【００１７】
【図１】本考案に係るバッグの外部ポケット構造を示す斜視図であって、携帯電話を収納する状態を示す図である。
【図２】本考案に係るバッグの外部ポケット構造を示す斜視図であって、携帯電話が収納された状態を示す図である。
【考案を実施するための最良の形態】
【００１８】
以下、添付図面に示す実施の形態に基づき、本考案を詳細に説明する。
図１及び図２に示すように、本実施の形態に係るバッグ１０の外表部に設けられたポケット１１は、バッグ本体１２との間に収納部１３を形成する主表皮材１４と、上記主表皮材１４の上端部１５に上下方向に対向して配置され、上記主表皮材１４と共に収納部１３を形成する副表皮材１６と、上記主表皮材１４と副表皮材１６との間に形成される開口部１７とを備えている。
【００１９】
上記ポケット１１は、上記リュックとして形成されたバッグ１０のマチ部１８に設けられており、収納部１３は縦長に形成されている。
【００２０】
本実施の形態にあっては、上記副表皮材１６は上記主表皮材１４の上方に配設され、上記主表皮材１４の上端部１５と副表皮材１６の下端部１９とは互いに対向して配置され、上記開口部１７はバッグ１０の水平方向にスリットとして形成されている。
従って、本実施の形態に係るバッグの外部ポケット構造を使用する場合には、図１に示すように、主表皮材１４の上端部１５を引き開口部１７を拡大する。
開口部１７から携帯電話等の小物２０を収納部１３内へ収納する。
【００２１】
図２に示すように、収納部１３内に収納された携帯電話等の小物２０は、縦長に形成された収納部１３内に収納された状態で搬送され、電話をかける時には、使用者は主表皮材１４の上端部１５を引き開口部１７を拡大し、内部から携帯電話等の小物２０を取り出して使用する。
上記主表皮材１４と副表皮材１６とは、常態時において互いに当接していることから、開口部２０は僅かに開口したスリットとして形成されるのみであり、内部に収納された携帯電話等の小物２０は上記開口部２０から外方へでてしまうことはない。
なお、本実施の形態にあっては、主表皮材１４と副表皮材１６とが上下方向に対向して配置され、バッグ１０の縦方向に沿って収納部１３が形成されている場合を例に説明したが、本実施の形態に限定されず、バッグ１０の横方向に沿って収納部１３が形成されていてもよい。
【符号の説明】
【００２２】
１０  バッグ
１１  ポケット
１２  バッグ本体
１３  収納物
１４  主表皮材  
１５  上端部
１６  副表皮材
１７  開口部
１８  マチ部
１９  下端部
２０  携帯電話等の小物
【図１】
0003165964.tif 000003
【図２】
0003165964.tif 000004